(57)【要約】【課題】支点軸部分での傾斜により触点を代替するという技術を用いながら、触点の効果が確実かつ安定的に発揮される理美容鋏を提供する。【解決手段】刃部２ｇを備えた一対の鋏部材３（３Ｒ、３Ｌ）を支点軸５Ｃにより回動させる理美容鋏１０であって、一方の鋏部材３Ｒが支点軸５Ｃを中心として回動する一方回転中心軸２ＤＲを、他方の鋏部材３Ｌが支点軸５Ｃを中心として回動する他方回転中心軸２ＤＬに対して、それぞれの刃部２ｇ（２ｆ）同士が相互に接触するように、相対的に傾斜させる。【選択図】図１
2015146854.tif 000002
【特許請求の範囲】
【請求項１】
刃部を備えた一対の鋏部材を支点軸により回動させる理美容鋏であって、
一方の鋏部材が前記支点軸を中心として回動する一方回転中心軸を、他方の鋏部材が前記支点軸を中心として回動する他方回転中心軸に対して、それぞれの刃部同士が相互に接触するように、相対的に傾斜させ，
前記相対的な傾斜は、前記支点軸を中心として前記鋏部材を回動させる円筒部材を嵌合して受け入れる円形凹状の回動受け部の中心軸が、その回動受け部を設けた鋏部材の刃部の接触面に対して傾斜するように形成されることで達成されることを特徴とする理美容鋏。
【発明の詳細な説明】
【技術分野】
【０００１】
本発明は、刃部を備えた一対の鋏部材を支点軸により回動させる理美容鋏に関する。
【背景技術】
【０００２】
理容師、美容師が業務用に使用する理美容鋏は、刃部同士が鋏部材の回動状態、つまり、鋏で髪を切る状態で接触している必要がある。このため、一般には、支点軸の反刃部側に触点を備えている。特許文献１はその一例であり、図１４は、この、本発明の背景技術となる理美容鋏を示すもので、（ａ）はその外観正面図、（ｂ）はその刃部材の裏面図である。
【０００３】
この理美容鋏２０は、一対の鋏部材１３（１３Ｒ，１３Ｌ）を支点軸１５により回動させるものである。一対の鋏部材１３は、それぞれ刃部材１２（１２Ｒ、１２Ｌ）と把持部材１１（１１Ｒ、１１Ｌ）とを備え、通常の理美容鋏と同様に把持部材１１を操作することにより、刃部材１２で毛髪を切ることができるものである。
【０００４】
この理美容鋏２０は、刃部材１２（１２Ｒ、１２Ｌ）と把持部材１１（１１Ｒ、１１Ｌ）とが連結部１６を介して、一体化されており、使用による刃の切れが悪くなった時に、刃部材１２（１２Ｒ、１２Ｌ）だけを刃部が研がれたものと交換して使い続け、切れが悪くなったものは業者に研がせて、次の使用に備えることができる。こうして、この理美容鋏２０によれば、把持部材１１は理美容師の手の形状や好みに合わせて自分専用のものを使いながら、刃部材１２だけの交換をすることができる。
【０００５】
この理美容鋏２０は、上記特徴を備えながら、図１４（ｂ）に示すように、鋏の切れ味を保つのに重要な役割を果たす触点１２ａを刃部材１２Ｒ（１２Ｌ）の把持部材１１Ｒ（１１Ｌ）側に設けて、刃部材１２を交換した場合にも変わらない切れ味を保つようにしている。なお、図１４（ｂ）において、符号１５ａは支点軸用孔、符号１６ａは連結用孔である。
【０００６】
しかしながら、この触点１２ａは図１４（ｂ）に示すように、支点軸用孔１５ａから、把持部材１１側に離れた位置にあり、鋏２０の使用時にはこの触点１２ａが接触し合うので、摩擦力が発生し、使用者の使用感に僅かではあるが抵抗感を与えるものであった。
【０００７】
そこで、上記のような触点をなくしながら、刃部の接触を保持する理美容鋏として、特許文献２、３、４のものが提案されている。特許文献２に記載の理美容鋏は、支点軸の締付ナットの緩み止め板バネ体の一部で、刃部側に強い弾性押圧を作用させ、毛髪切断時に刃部の浮き上がり抑えて、毛髪の切れをよくするものである。
【０００８】
特許文献３に記載の理美容鋏は、支点軸を受ける雌ネジを刃部に対して刃部同士が接触するように傾斜させて形成し、これにより従来の触点をなくしながら、刃部を接触させ、鋏の開閉が滑らかになると記載されている。しかしながら、本出願人によれば、ネジ係合自体が一定の嵌め合い隙間を必須とするものなので、傾斜させた雌ネジの触点機能が確実かつ安定的に発揮されるとは限らないように思われた。
【０００９】
特許文献４に記載の理美容鋏は、支点軸の把手側の鋏部材に一方の鋏部材に対する他方の鋏部材の隙間を調節する調節ネジを設け、これを従来の触点の代わりとすることで、刃部を接触させ、鋏の開閉が滑らかになるというものである。しかし、この方法は、結局、上記特許文献１と同様の触点を用いるもので、その課題も同じように残存しているように思われた。
【先行技術文献】
【特許文献】
【００１０】
【特許文献１】特開２００１０−２２７７０４号公報（図１、図８）
【特許文献２】特開平９−２８５６５６号公報（図１、請求項１）
【特許文献３】特開２００６−３１４７４５号公報（図１、請求項１）
【特許文献４】特開２０１２−１３０４９３号公報（図１、請求項１）
【発明の概要】
【発明が解決しようとする課題】
【００１１】
本発明は、上記問題を解決しようとするもので、支点軸部分での傾斜により触点を代替するという技術を用いながら、触点の効果が確実かつ安定的に発揮される理美容鋏を提供することを目的とする。
【課題を解決するための手段】
【００１２】
本発明の理美容鋏は、刃部を備えた一対の鋏部材を支点軸により回動させる理美容鋏であって、一方の鋏部材が前記支点軸を中心として回動する一方回転中心軸を、他方の鋏部材が前記支点軸を中心として回動する他方回転中心軸に対して、それぞれの刃部同士が相互に接触するように、相対的に傾斜させ，
前記相対的な傾斜は、前記支点軸を中心として前記鋏部材を回動させる円筒部材を嵌合して受け入れる円形凹状の回動受け部の中心軸が、その回動受け部を設けた鋏部材の刃部の接触面に対して傾斜するように形成されることで達成されるので、支点軸部分での傾斜により触点を代替するという技術を用いながら、触点の効果が確実かつ安定的に発揮される理美容鋏を提供することができる。
【発明の効果】
【００１３】
上記、解決手段に記載した通りである。
【図面の簡単な説明】
【００１４】
【図１】（ａ）は本発明の理美容鋏の一例を示す側面図、（ｂ）は（ａ）の正面図、（ｃ）は（ｂ）の右側面図、（ｄ）は（ｂ）のＡＡ矢視断面図、（ｅ）は（ｄ）の支点軸部分の拡大図
【図２】図１の理美容鋏の各部品の関係を示す分解斜視図
【図３】図１の理美容鋏の一方の把持部材を示すもので、（ａ）はその裏面図、（ｂ）はその下側面図、（ｃ）はその表面図、（ｄ）は（ｃ）の右側面図、（ｅ）は（ｃ）のＢＢ矢視拡大断面図
【図４】図１の理美容鋏の一方の刃部材を示すもので、（ａ）はその裏面図、（ｂ）はその下側面図、（ｃ）はその表面図、（ｄ）は（ｃ）の右側面図、（ｅ）は（ａ）のＣＣ矢視拡大断面図
【図５】図１の理美容鋏の他方の把持部材を示すもので、（ａ）はその裏面図、（ｂ）はその下側面図、（ｃ）はその表面図、（ｄ）は（ｃ）の右側面図、（ｅ）は（ｃ）のＤＤ矢視拡大断面図
【図６】図１の理美容鋏の他方の刃部材を示すもので、（ａ）はその裏面図、（ｂ）はその下側面図、（ｃ）はその表面図、（ｄ）は（ｃ）の右側面図、（ｅ）は（ａ）のＥＥ矢視拡大断面図
【図７】図１の理美容鋏の支点軸部材を示すもので、（ａ）はその正面図、（ｂ）は（ａ）の右側面図
【図８】（ａ）は図１の理美容鋏の組み立て初期の要部を示す部分縦断面図，（ｂ）は（ａ）の要部拡大図、（ｃ）は組み立て（締付）完了の要部を示す部分縦断面図
【図９】（ａ）は本発明の理美容鋏の他例を示す正面図、（ｂ）は（ａ）の要部破断の側面図、（ｃ）はその裏面図、（ｄ）は（ｃ）の右側面図、（ｅ）は（ｂ）の破断部分の拡大図
【図１０】図９の理美容鋏の各部品の関係を示す分解斜視図
【図１１】図９の理美容鋏の他方の把持部材を示すもので、（ａ）はその裏面図、（ｂ）はその下側面図、（ｃ）はその表面図、（ｄ）は（ｃ）の右側面図、（ｅ）は（ａ）のＦＦ矢視拡大断面図
【図１２】図９の理美容鋏の支点軸部材を示すもので、（ａ）はその上面図、（ｂ）は（ａ）の上部断面の右側面図、（ｃ）は該支点軸部材に内挿される止めネジの上面図、（ｄ）は（ｃ）の側面図
【図１３】（ａ）は本発明の理美容鋏の他例を示す側面図、（ｂ）はその側面図、（ｃ）は（ｂ）のＧＧ矢視断面図
【図１４】本発明の背景技術となる理美容鋏を示すもので、（ａ）はその外観正面図、（ｂ）はその刃部材の裏面図
【符号の説明】
【００１５】
１（１Ｒ、１Ｌ）、１Ａ（１ＡＲ、１ＡＬ）    把持部材
２（２Ｒ、２Ｌ）      刃部材
２ａ      回動受け部
２ＣＲ（２ＤＲ）    一方回転中心軸、中心軸
２ＣＬ（２ＤＬ）    他方回転中心軸、中心軸
２ｆ      刃部
２ｇ      触接面
３（３Ｒ，３Ｌ）、３Ａ（３ＡＲ，３ＡＬ）、３Ｂ（３ＢＲ，３ＢＬ）    鋏部材
５、５Ａ  支点軸部材
５Ｃ      支点軸
６        円筒部材
７        ツバ付き軸受
７Ａ      軸受
１０、１０Ａ、１０Ｂ    理美容鋏
【発明を実施するための形態】
【００１６】
以下に、本発明の実施の形態について、図面を用いて説明する。
【００１７】
＜実施形態１＞
図１（ａ）は本発明の理美容鋏の一例を示す側面図、（ｂ）は（ａ）の正面図、（ｃ）は（ｂ）の右側面図、（ｄ）は（ｂ）のＡＡ矢視断面図、（ｅ）は（ｄ）の支点軸部分の拡大図である。
【００１８】
この理美容鋏１０は、刃部２ｇを備えた一対の鋏部材３（３Ｒ、３Ｌ）を支点軸５Ｃにより回動させる理美容鋏１０であって、一方の鋏部材３Ｒが支点軸５Ｃを中心として回動する一方回転中心軸２ＤＲを、他方の鋏部材３Ｌが支点軸５Ｃを中心として回動する他方回転中心軸２ＤＬに対して、それぞれの刃部２ｇ（２ｆ）同士が相互に接触するように、相対的に傾斜させることを特徴とする。なお、本発明における実施形態の説明では、一対のものの内、一方の側を示す場合には添字Ｒを、他方の側を示す場合には添字Ｌを必要に応じて付記する。
【００１９】
加えて、この理美容鋏１０においては、前記相対的な傾斜は、支点軸５Ｃを中心として前記鋏部材３Ｒ、３Ｌを回動させる円筒部材６を嵌合して受け入れる円形凹状の回動受け部２ａ（図１（ｅ）参照。）の中心軸２ＤＲ、２ＤＬが、その回動受け部２ａを設けた鋏部材３Ｒ、３Ｌの刃部２ｇ（２ｆ）の接触面２ｆに対して傾斜（角度α。図１（ｅ）参照）するように形成されることで達成されることを特徴とする。
【００２０】
鋏部材３Ｒ、３Ｌは、理美容師が把持操作する把持部材１Ｒ、１Ｌと、これらの把持部材１Ｒ、１Ｌの先端側に伸び、髪を切る部分である刃部材２Ｒ，２Ｌとを備えており、この両部材は、連結ネジ４によって連結されて完全に鋏部材３Ｒ、３Ｌとして一体化する。この連結方法については、特許文献１と同様なので、詳細は省略する。
【００２１】
理美容鋏１０は、上記に加え、支点軸５Ｃを形成する支点軸部材５、支点軸部材５の首下部分と一方の鋏部材３Ｒ（把持部材１Ｒ）との間に介在するツバ付き軸受７、支点軸部材５の先端の雄ネジ部分に係合する締付ナット８、この締付ナット８の内側に入れられ、締付ナット８の回転を規制する規制ワッシャ８ａ、及び、指掛け突起９ａを備えている。
【００２２】
ここで、この実施形態においては、上記したように一方回転中心軸２ＤＲ、他方回転中心軸２ＤＬは、図１（ｅ）で示されたように、一対の鋏部材３Ｒ（刃部材２Ｒ、２Ｌ）に共通して用いられる円筒部材６にそれぞれ嵌合する一対の回動受け部２ａの中心軸２ＤＲ、２ＤＬに対応しており、これらの中心軸２ＤＲ、２ＤＬが回動部材６の中心軸、つまり、支点軸部材５の支点軸５Ｃに対して、刃部２ｇ方向に角度αだけ傾いていることを特徴とする。この傾斜と触点との関係については、図８を用いて後述する。
【００２３】
なお、この理美容鋏１０では、円筒部材６として、転がり球軸受が図示されているが、これに限定されず、円筒部材は、転がり軸受であってもよく、滑動性がある軸受メタルを円筒状にしたものなど滑動性のあるものであればよい。また、ツバ付き軸受７についても、同様である。
【００２４】
図２は、図１の理美容鋏の各部品の関係を示す分解斜視図である。これより既に説明した部分については、同じ符号を付して、重複説明を省略する。この図２の分解斜視図と、図１（ｅ）の断面図とを見れば、この理美容鋏１０の各部品と、それらの相互関係、組み立て方法がよく解る。 
【００２５】
符号９ｂは、指掛け突起９ａの取付部であり、符号９ｄは、吸音クッションである。これより、この理美容鋏１０の各部品について説明する。 
【００２６】
図３は、図１の理美容鋏の一方の把持部材を示すもので、（ａ）はその裏面図、（ｂ）はその下側面図、（ｃ）はその表面図、（ｄ）は（ｃ）の右側面図、（ｅ）は（ｃ）のＢＢ矢視拡大断面図である。
【００２７】
この把持部材１Ｒは、全体が鋼材から形成されたものであり、支点軸部材５が貫通する支点孔１ａ、この支点孔１ａと同軸でツバ付き軸受７を収用する軸受孔１ｂ、支点孔１ａと同軸で軸受孔１ｂとは反対側に突起した軸部突起１ｃ、刃部材１Ｒとの連結のための連結孔１ｄ、同連結のための連結凹部１ｅ、及び、指を入れるための指環部１ｆを備えている。なお、符号９ｃは、吸音クッション９ｄのクッション取付部である。
【００２８】
図４は、図１の理美容鋏の一方の刃部材を示すもので、（ａ）はその裏面図、（ｂ）はその下側面図、（ｃ）はその表面図、（ｄ）は（ｃ）の右側面図、（ｅ）は（ａ）のＣＣ矢視拡大断面図である。
【００２９】
この刃部材２Ｒ全体は、鋼材から形成されたものであり、円筒部材６を回動可能に収容する回動受け部２ａ、回動受け部２ａの奥面の内周部分に形成された内輪突起２ｂ、把持部材２Ｒの軸部突起１ｃを嵌め受ける嵌合孔２ｃ、把持部材１Ｒとの連結のための連結雌ネジ２ｄ、及び、同連結のための連結凸部２ｅを備えている。。
【００３０】
ここで、重要なことは、図４（ｅ）に図示すように、刃部材２Ｒの刃部２ｆの相手との接触面２ｇに対して、接触面２ｇ同士が接触するように、支点軸５Ｃに対して、回動受け部２ａの中心軸（一方回転中心軸）２ＣＲが角度αだけ傾斜していることである。ここで、内輪突起２ｂの表面も、回動受け部２ａの中心軸（一方回転中心軸）２ＣＲと同じ中心軸を備えており、支点軸５Ｃ対して、角度αだけ傾斜している。
【００３１】
なお、図１（ｅ）では、回動受け部２ａの中心軸（一方回転中心軸）として、符号２ＤＲ、２ＤＬを用いている。これは、部品として見るときには、この図４（ｅ）に示すように、刃部材２Ｒの刃部２ｆの相手との接触面２ｇに対して回動受け部２ａの中心軸２ＣＲを図中で右方向（把持側）に角度αだけ傾斜させておき、組立時にこの回転受け部２ａの内輪突起２ｂを円筒部材６の内輪だけに接触させると、結果として、刃部材２Ｒの刃部２ｆが図１（ｅ）に示すように、支点軸５Ｃに対して角度αだけ左側（刃先側）に傾斜することを符号によって区別しようとするものである。
【００３２】
加えて、この実施形態では、内輪突起２ｂは、回動受け部２ａの奥面に対して、僅かな高さβだけ高くなっており、回動受け部２ａに収容された円筒部材６の内輪だけに接触するようになっている。回動受け部２ａの内周径γは、ここに収容される円筒部材６の外径に対して、内輪突起２ｂと円筒部材６の内輪との密接時に、回動受け部２ａの内周が円筒部材６の外周に対して傾いた場合でも、該外周によって、回動受け部２ａの円滑な回転が阻止されないような内周径となっている。
【００３３】
つまり、本願発明の核心は、円筒部材６の中心軸、つまり、支点軸５Ｃに対して、回動受け部２ａと内輪突起２ｂとの中心軸２ＣＲを傾斜させ、かつ、円筒部材６が市販のころがり球軸受の場合に、その内輪だけに前記内輪突起２ｂだけが接触するようにしながら、軸方向のスペースを極力小さくし、かつ、刃部材２Ｒの回動に支障を与えない、という点である。
【００３４】
この例では、角度αは、１度であり、高さβは、０．１ｍｍであり、内周径γは、円筒部材６として用いている市販のころがり球軸受の規格外径＋０．１ｍｍであるが、これらの角度α、高さβ、内周径γについての上記具体的数値は、上記技術的思想を満たす適切な一例に過ぎず、本発明の技術的範囲は、これらの数値に限定されるものではない。
【００３５】
図５は、図１の理美容鋏の他方の把持部材を示すもので、（ａ）はその裏面図、（ｂ）はその下側面図、（ｃ）はその表面図、（ｄ）は（ｃ）の右側面図、（ｅ）は（ｃ）のＤＤ矢視拡大断面図である。
【００３６】
この把持部材１Ｌは、図３の把持部材１Ｒに比べ、線対称となっている、つまり、左右一対の把持部材１の他方となるもので、その構成はおおむね同様である。異なる点は、この把持部材１Ｌには、把持部材１Ｒの支点孔１ａに代えて、支点軸部材５の角軸部が貫通する支点角穴１ｇが設けられている点である。
【００３７】
この結果、図３の把持部材１Ｒは支点軸部材５に拘束されずに回転自在であるが、この図５の把持部材１Ｌは、支点軸部材５と共回動する。
【００３８】
図６は、図１の理美容鋏の他方の刃部材を示すもので、（ａ）はその裏面図、（ｂ）はその下側面図、（ｃ）はその表面図、（ｄ）は（ｃ）の右側面図、（ｅ）は（ａ）のＥＥ矢視拡大断面図である。
【００３９】
この刃部材２Ｌは、図４の刃部材２Ｒに比べ、線対称となっている、つまり、左右一対の刃部材２の他方となるもので、その構成はおおむね同様である。異なる点は、この刃部材２Ｌには、刃部材２Ｒの内輪突起２ｂに代えて、円筒部材６の外輪にのみ接触する外輪突起２ｈが設けられている点である。
【００４０】
この結果、双方の回動受け部２ａは、円筒部材６の外周を近接して覆うものであるが、図４の刃部材２Ｒでは、内輪突起２ｂが円筒部材６の内輪にのみ密接し、この図６の刃部材２Ｌでは、外輪突起２ｈが円筒部材６の外輪にのみ密接する。よって、円筒部材６に対して、一対の刃部材２Ｒ、２Ｌは相互に同心性を維持しながら回転自在となっている。
【００４１】
図７は、図１の理美容鋏の支点軸部材を示すもので、（ａ）はその正面図、（ｂ）は（ａ）の右側面図である。この支点軸部材５は、円柱軸部５ａ、この円柱軸部５ａに軸方向に連続し、実質外径が同一の角軸部５ｂ、さらにその先端側の雄ネジ部５ｃ、及び、円柱軸部５ａの頭部側の頭部５ｄを備えている。また、頭部５ｄの円柱軸部５ａ側には、内輪突起５ｄａがある。
【００４２】
図８（ａ）は図１の理美容鋏の組み立て初期の要部を示す部分縦断面図，（ｂ）は（ａ）の要部拡大図、（ｃ）は組み立て（締付）完了の要部を示す部分縦断面図である。理美容鋏１０の組み立ては、この図８（ａ）、（ｂ）に示すように以下の手順で行われる。
【００４３】
支点軸部材５の円柱軸部５ａの頭部５ｄ側には、そのツバの軸端面が接触するようにツバ付き軸受７が嵌まる。このツバ付き軸受７は、一方側の把持部材１Ｒの軸受孔１ｂに収容される。この状態の把持部材１Ｒの軸部突起１ｃが一方側の刃部材１Ｒの嵌合孔２ｃに収容される。この状態の刃部材１Ｒの回動受け部２ａに円筒部材６が嵌め入れられる。次に、他方側の刃部材２Ｌ、把持部材１Ｌが同じように組み付けられる。
【００４４】
支点軸部材５の角軸部５ｂには、把持部材１Ｌの支点角穴１ｇと規制ワッシャ８ａとが嵌まり、雄ネジ部５ｃには、締付ナット８の雌ネジ部分がネジ取り付けされる。この時、把持部材１Ｌと支点軸部材５とは相互に回動しないが、頭部５ｄの内輪突起５ｄａだけがツバ付き軸受７の内輪に接触し、把持部材１Ｒは外輪側なので、支点軸部材５に対して回動自由である。
【００４５】
ここで、図８（ａ）、（ｂ）では、締付ナット８の締付が始まった状態で、それぞれの回動受け部２ａの奥面と円筒部材６の軸方向端面との間には隙間があり、その状態で、刃部材２Ｒ、２Ｌの刃部２ｆの相手との接触面２ｇは先端だけが相互に接触している。
【００４６】
この図８（ａ）、（ｂ）の状態から、それぞれの回動受け部２ａの奥面と円筒部材６の軸方向端面との間の隙間がなくなるまで、締付ナット８を締めつけると、図８（ｂ）（図１（ｅ）と同じ）の状態となる。
【００４７】
この締付の過程で、刃部材２Ｒ、２Ｌの刃部２ｆの相手との接触面２ｇの接触は、徐々に支点軸部材５の方まで及び、図８（ｂ）の状態では、相互の刃部材２Ｒ、２Ｌの接触は、刃部２ｆのどの部分で髪を切っても確実に切れる状態となっている。つまり、触点機能が発揮されている。
【００４８】
このような構成の理美容鋏１０によれば、円筒部材６と刃部材２の回動受け部２ａとの間を傾斜させることで触点機能を発揮し、支点軸部材のネジ係合部分を傾斜させるものではないので、支点軸部分での傾斜により触点を代替するという技術を用いながら、触点の効果が確実かつ安定的に発揮される。
【００４９】
また、支点軸５Ｃから把持部材１側に離れた位置における鋏部材間を接触させる触点が無いので、この触点間の摩擦力による鋏を操作する手指への余分な操作力が無くなる。加えて、この理美容鋏１０では、円筒部材６としてころがり球軸受を用い、一方の刃部材１Ｒをその内輪に共回転させ、他方の刃部材１Ｌに外輪に共回動させるようにしているので、鋏部材３Ｒ、３Ｌ同士の相対的回転に必要な力もより小さくなり、その回転もより滑らかになる。
【００５０】
なお、円筒部材としては、この実施形態のような内輪と外輪とを有するころがり球軸受、あるいは、ころがり軸受だけに限定されず、既述したように内外輪の区別の無い軸受メタルのような滑動性のあるものでもよく、その場合でも、一対の刃部材の回動受け部の奥面が当該円筒部材の端面に接触するようにして、そこで発生する滑動による回転抵抗力を最小限とすることができる。
【００５１】
＜実施形態２＞
図９（ａ）は本発明の理美容鋏の他例を示す正面図、（ｂ）は（ａ）の要部破断の側面図、（ｃ）はその裏面図、（ｄ）は（ｃ）の右側面図、（ｅ）は（ｂ）の破断部分の拡大図、図１０は図９の理美容鋏の各部品の関係を示す分解斜視図である。
【００５２】
この理美容鋏１０Ａは、図１の理美容鋏１０に較べ、一対の鋏部材３ＡＲ、３ＡＬを回動させる支点軸５Ｃを構成する支点軸部材５Ａが、一方の鋏部材１ＡＬの中に収容される点が相違している。
【００５３】
より具体的には、図１の理美容鋏１０では、支点軸部材５は、一対の鋏部材３Ｒ、３Ｌを貫通して、締付ナット８と共同して、この鋏部材３Ｒ、３Ｌを回動可能に締付している。一方、この理美容鋏１０Ａでは、一方の鋏部材３ＡＬの中に雌ネジが設けられて、支点軸部材５Ａの先端がこの雌ネジにネジ付けられて、鋏部材３ＡＬを貫通することなく、この鋏部材３ＡＬに収容されている点が異なっている。
【００５４】
上記の相違点に関連して、この理美容鋏１０Ａでは、以下に説明する部品が、図１の理美容鋏と異なっている。なお、図９（ｅ）に見える止めネジ５ｋについては、図１２において、説明する。
【００５５】
図１１は、図９の理美容鋏の他方の把持部材を示すもので、（ａ）はその裏面図、（ｂ）はその下側面図、（ｃ）はその表面図、（ｄ）は（ｃ）の右側面図、（ｅ）は（ａ）のＦＦ矢視拡大断面図である。
【００５６】
この他方の把持部材１ＡＬは、図５の他方の把持部材１Ｌに比べ、支点角穴１ｇと軸受孔１ｂとがなく、代わりに、底付き雌ネジ孔１ｉを備え、また、軸部突起１ｃに相当する軸部突起１ｊを備えている。
【００５７】
図１２は図９の理美容鋏の支点軸部材を示すもので、（ａ）はその上面図、（ｂ）はその上部断面の正面図、（ｃ）は該支点軸部材に内挿される止めネジの上面図、（ｄ）は（ｃ）の側面図である。
【００５８】
この支点軸部材５Ａは、図７の支点軸部材５に比べ、角軸部５ｂがなく、円柱軸部５ｅに連なって雄ネジ部５ｆを備えている点が異なっている。また、頭部５ｇには、支点軸部材５Ａの締付用のスリ割り５ｈが設けられている。頭部５ｇの円柱軸部５ｅ側には内輪突起５ｇａが備えられている。中心軸部分には、止めネジ孔５ｉと、その先端側に止めネジ用雌ネジ５ｊが設けられている。
【００５９】
図１２（ｃ）、（ｄ）の止めネジ５ｋは、この止めネジ５ｋを回動させるための六角穴５ｋａを備えた六角穴付き止めネジ（ＪＩＳ  Ｂ  １１７７）である。この例では、先端が窪んだくぼみ先であるが、これに限定されない。
【００６０】
このような構成の理美容鋏１０Ａにおいて、支点軸部材５Ａは他方の把持部材１ＡＬにネジ固定されて共回動し、その首下部分には軸受７Ａが嵌められ、その内輪突起５ｇａは、この軸受７Ａの内輪だけに接触して、その外輪側にある他方の把持部材１ＡＲの滑らかな回動を許容している。円筒部材６と一対の刃部材２Ｒ、２Ｌとの関係は、図１の理美容鋏１０と同じである。
【００６１】
また、この理美容鋏１０Ａにおいては、支点軸部材５Ａを適度に締めつけて、一対の鋏部材３Ａ（３ＡＲ、３ＡＬ）が適度な滑らかさで回動する状態で、図９（ｅ）に示すように、止めネジ５ｋを支点軸部材５Ａの中にいれ、止めネジ用雌ネジ５ｊにネジ入れて、この止めネジ５ｋの先が把持部材１ＡＬの底付き雌ネジ孔１ｉの底に接触するようにして、支点軸部材５Ａの把持部材１ＡＬへのネジ締付状態が緩まないようにロックすることができる。
【００６２】
なお、支点軸部材５Ａのネジ締付状態のロックを解除する際には、スリ割り５ｈにマイナスドライバなどを入れて、支点軸部材５Ａのネジ締付状態を緩めてから、必要に応じて、止めネジ５ｋを戻す方向に緩めればよい。
【００６３】
このような理美容鋏１０Ａによれば、図１の理美容鋏１０と同様に、円筒部材６と一対の刃部材２Ｒ、２Ｌとの関係により、理美容鋏１０と同様の効果、つまり、支点軸部分での傾斜により触点を代替するという技術を用いながら、触点の効果が確実かつ安定的に発揮される、という効果が発揮される。  
【００６４】
加えて、この理美容鋏１０Ａにおいては、締付ナット８が不要となり、図９（ｃ）や図１１（ｃ）で示すように、他方の把持部材１ＡＬの支点軸部分の表面側はなんら凹凸がなく滑らかな平面となっていて、手触り感や美観が向上する。
【００６５】
＜実施形態３＞
図１３（ａ）は本発明の理美容鋏の他例を示す側面図、（ｂ）はその側面図、（ｃ）は（ｂ）のＧＧ矢視断面図である。
【００６６】
この理美容鋏１０Ｂは、図１の理美容鋏１０に較べ、一対の鋏部材３ＢＲ、３ＢＬが、刃部材と把持部材とを一体化したものである点が異なるだけで、外に異なる所はない。  
【００６７】
上述したような一対の刃部材と円筒部材６との関係は、刃部材と把持部材とを一体化することとは独立したもので、該関係は変わりなく維持され、この理美容鋏１０Ｂによれば、理美容鋏１０と同じ作用効果、つまり、支点軸部分での傾斜により触点を代替するという技術を用いながら、触点の効果が確実かつ安定的に発揮される、という効果が発揮される。
【００６８】
なお、本発明の理美容鋏は、上記の実施形態に限定されない。また、特許請求の範囲に記載された範囲、実施形態の範囲で、種々の変形例、組み合わせが可能であり、それらも、特許請求の範囲の技術的範囲に含まれるものである。例えば、一方回転中心軸と他方回転中心軸とは相対的に傾斜すればよく、上記実施形態では双方を傾斜させたが、どちらか一方だけを傾斜させるようにしてもよい。
【産業上の利用可能性】
【００６９】
本発明の理美容鋏は、支点軸部分での傾斜により触点を代替するという技術を用いながら、触点の効果が確実かつ安定的に発揮される理美容鋏が要請される、理美容業界などの産業分野に用いることができる。
【図１】
2015146854.tif 000003
【図２】
2015146854.tif 000004
【図３】
2015146854.tif 000005
【図４】
2015146854.tif 000006
【図５】
2015146854.tif 000007
【図６】
2015146854.tif 000008
【図７】
2015146854.tif 000009
【図８】
2015146854.tif 000010
【図９】
2015146854.tif 000011
【図１０】
2015146854.tif 000012
【図１１】
2015146854.tif 000013
【図１２】
2015146854.tif 000014
【図１３】
2015146854.tif 000015
【図１４】
2015146854.tif 000016